(57)【特許請求の範囲】
【請求項１】
複数の室内ユニット（３０）の室内側冷媒回路（１３）に接続可能な液管及びガス管を有する室外側冷媒回路（１２）を収納する本体ケーシング（４０）と、
前記本体ケーシングの側面の外側において高さ方向に並べて配置され、複数の前記室内側冷媒回路に前記室外側冷媒回路の前記液管を接続するための複数の液管接続口（６２ａ〜６２ｅ）を有する液管接続ポート（２７）と、
前記本体ケーシングの側面の外側において高さ方向に並べて配置され、複数の前記室内側冷媒回路を前記室外側冷媒回路の前記ガス管に接続するための複数のガス管接続口（６１ａ〜６１ｅ）を有するガス管接続ポート（２６）と、
前記本体ケーシングの側面に取り付けられ、複数の前記液管接続口が取り付けられる液管接続口取付部（５１ｂ）及び、複数の前記ガス管接続口が取り付けられるガス管接続口取付部（５１ａ）を有する取付部材（５１）と、
複数の前記室内側冷媒回路にそれぞれ対応する複数の電動弁（２４，２４ａ〜２４ｅ）と、を備え、
前記取付部材は、最上部の前記ガス管接続口と並んで配線群（１５）を前記取付部材から引き出すための配線口（５２）を最上部の前記液管接続口の上にさらに有し、
前記ガス管接続ポートは、前記本体ケーシングの側面に対して前記液管接続ポートよりもさらに外側に配置され、
前記液管接続ポートは、複数の前記液管接続口にそれぞれ接続され、複数の前記電動弁がそれぞれ取り付けられる複数の液分岐管（６５ａ〜６５ｅ）をさらに有し、
前記取付部材は、幅方向に並ぶ前記液管接続口取付部と前記ガス管接続口取付部とを階段状に接続する段差部（５１ｃ）をさらに有し、前記液管接続口取付部の幅が前記電動弁の幅とおなじかそれよりも小さくなるように形成されている、冷凍装置の室外ユニット。
【請求項２】
前記液管接続口取付部は、その幅（Ｗ４）が前記本体ケーシングの前記側面から前記液分岐管の前記側面から遠いところまでの幅（Ｗ６）よりも小さい、
請求項１に記載の冷凍装置の室外ユニット。
【請求項３】
前記ガス管接続ポートは、複数の前記ガス管接続口にそれぞれ接続されている複数のガス分岐管（６３ａ〜６３ｅ）と、複数の前記ガス分岐管に接続されて高さ方向に延びるガスヘッダ（６４）とをさらに有し、
前記ガスヘッダは、前記電動弁の取付位置と同じかそれよりも前記取付部材に近い側に配置されている、
請求項１又は請求項２に記載の冷凍装置の室外ユニット。
【請求項４】
複数の前記液管接続口と複数の前記ガス管接続口は、千鳥状にずらして配置されている、
請求項１から請求項３のいずれか一項に記載の冷凍装置の室外ユニット。
【発明の詳細な説明】
【技術分野】
【０００１】
本発明は、冷凍装置の室外ユニット、特に、複数の室内ユニットに接続可能なマルチ型の冷凍装置の室外ユニットに関する。
【背景技術】
【０００２】
マルチ型の冷凍装置では、１台の室外ユニットに複数台の室内ユニットが接続される。そのため、マルチ型の冷凍装置の室外ユニットには、複数の室内ユニットに対して複数のガス管と複数の液管とに接続するため、複数のガス管接続口と複数の液管接続口とが設けられている。
【０００３】
室外ユニットは、特許文献１（特開２０１１−１１７６４１号公報）に記載されているように、屋外のベランダなどの狭い場所に設置されることもあるため、作業性を確保する目的で、複数のガス管接続口と複数の液管接続口をまとめたガス管接続ポート及び液管接続ポートを室外ユニットの側面に設置することが行なわれている。
【発明の概要】
【発明が解決しようとする課題】
【０００４】
しかしながら、ガス管接続ポート及び液管接続ポートを室外ユニットの側面に設置すると、これらを含めた室外ユニットの全幅が大きくなり、室外ユニットの設置に必要な場所が大きくなってしまう。
【０００５】
本発明の課題は、マルチ型の冷凍装置の室外ユニットについてのコンパクト化を図ることである。
【課題を解決するための手段】
【０００６】
本発明の第１観点に係る冷凍装置の室外ユニットは、複数の室内ユニットの室内側冷媒回路に接続可能な液管及びガス管を有する室外側冷媒回路を収納する本体ケーシングと、本体ケーシングの側面の外側において高さ方向に並べて配置され、複数の室内側冷媒回路に室外側冷媒回路の液管を接続するための複数の液管接続口を有する液管接続ポートと、本体ケーシングの側面の外側において高さ方向に並べて配置され、複数の室内側冷媒回路を室外側冷媒回路のガス管に接続するための複数のガス管接続口を有するガス管接続ポートと、本体ケーシングの側面に取り付けられ、複数の液管接続口が取り付けられる液管接続口取付部及び、複数のガス管接続口が取り付けられるガス管接続口取付部を有する取付部材と、複数の室内側冷媒回路にそれぞれ対応する複数の電動弁と、を備え、取付部材は、最上部のガス管接続口と並んで配線群を取付部材から引き出すための配線口を最上部の液管接続口の上にさらに有し、ガス管接続ポートは、本体ケーシングの側面に対して液管接続ポートよりもさらに外側に配置され、液管接続ポートは、複数の液管接続口にそれぞれ接続され、複数の電動弁がそれぞれ取り付けられる複数の液分岐管をさらに有し、取付部材は、幅方向に並ぶ液管接続口取付部とガス管接続口取付部とを階段状に接続する段差部をさらに有し、液管接続口取付部の幅が電動弁の幅とおなじかそれよりも小さくなるように形成されているものである。
【０００７】
第１観点の冷凍装置の室外ユニットにおいては、取付部材の取り付けに必要なスペースうち最上部の液管接続口の上の配管に使用されないスペースに、配線群を引き出すための配線口をつくることができる。
【０００８】
また、液管接続ポートをガス管接続ポートよりも内側に配置することで、例えば液管に取り付けられる電動弁の配置スペースの一部をガス管接続ポートの配置領域及び本体ケーシングのうちの少なくとも一方に確保することができる。それにより、液管接続ポートとガス管接続ポートとを合わせた幅方向の長さを、ガス管接続ポートを内側に配置して液管接続ポートを外側に配置する場合に比べて短くすることができる。特に、電動弁の一部を本体ケーシングよりも内側の液管接続ポートの配置領域及び本体ケーシングのうちの少なくとも一方を使って配置できるので、電動弁がこれらに入り込む分だけ、液管接続ポートとガス管接続ポートとを合わせた幅方向の長さを削減できる。
【０００９】
また、液管接続口取付部とガス管接続口取付部とが階段状に配置されているので、複数の液管接続口と複数のガス管接続口とを近づけて配置することができる。
【００１０】
本発明の第２観点に係る冷凍装置の室外ユニットは、第１観点に係る室外ユニットにおいて、液管接続口取付部は、その幅が本体ケーシングの側面から液分岐管の側面から遠いところまでの幅よりも小さい、ものである。
【００１１】
本発明の第３観点に係る冷凍装置の室外ユニットは、第１観点又は第２観点に係る室外ユニットにおいて、ガス管接続ポートは、複数のガス管接続口にそれぞれ接続されている複数のガス分岐管と、複数のガス分岐管に接続されて高さ方向に延びるガスヘッダとをさらに有し、ガスヘッダは、電動弁の取付位置と同じかそれよりも取付部材に近い側に配置されている、ものである。
【００１２】
第３観点の冷凍装置の室外ユニットにおいては、電動弁の取り付け位置がガスヘッダの配置位置と同じかそれよりも取付部材から遠い側にあるので、液管接続ポートとガス管接続ポートとを合わせた幅方向の長さが短くても、ガスヘッダが電動弁の着脱の邪魔にならない。
【００１３】
本発明の第４観点に係る冷凍装置の室外ユニットは、第１観点から第３観点のいずれかに係る室外ユニットにおいて、複数の液管接続口と複数のガス管接続口は、千鳥状にずらして配置されている、ものである。
【００１４】
第４観点の冷凍装置の室外ユニットにおいては、複数の液管接続口と複数のガス管接続口が千鳥状にずらして配置されているので、複数の液管接続口の並びと複数のガス管接続口の並びの間隔を狭め易くなる。
【発明の効果】
【００１５】
本発明の第１観点又は第２観点に係る冷凍装置の室外ユニットでは、取付部材の取り付けに必要なスペースのうちのデッドスペースを有効に活用してマルチ型の冷凍装置の室外ユニットについてコンパクト化を図ることができる。
【００１６】
また、液管接続ポートとガス管接続ポートとを含む室外ユニットの全幅を小さくすることができ、室外ユニットの幅方向についてのコンパクト化を図ることができる。
【００１７】
また、ガス管接続口の方から見て、ガス管接続口取付部及び本体ケーシングのうちの少なくとも一方と電動弁との重なり部分を増やして、液管接続ポートとガス管接続ポートとを合わせた幅方向の長さをさらに削減することができる。
【００１８】
本発明の第３観点に係る冷凍装置の室外ユニットでは、液分岐管に取り付けられている電動弁のメンテナンスが容易になる。
【００１９】
本発明の第４観点に係る冷凍装置の室外ユニットでは、ガス管接続口取付部及び本体ケーシングのうちの少なくとも一方と電動弁との重なり部分を増やして、液管接続ポートとガス管接続ポートとを合わせた幅方向の長さをさらに削減することができる。
【図面の簡単な説明】
【００２０】
【図１】本発明の一実施形態に係る空気調和装置の冷媒回路。
【図２】本発明の一実施形態に係る室外ユニットの斜視図。
【図３】ガス管接続ポート及び液管接続ポートの背面図。
【図４】ガス管接続ポート及び液管接続ポートの周辺を背面側から見た斜視図。
【図５】ガス管接続ポート及び液管接続ポートの周辺を正面側から見た斜視図。
【図６】ガス管接続ポート及び液管接続ポートの周辺を上面側から見た平面図。
【図７】接続ポートの上部を拡大した部分拡大背面図。
【発明を実施するための形態】
【００２１】
（１）全体構成
（１−１）空気調和装置の冷媒回路
本発明の一実施形態に係る冷凍装置の室外ユニットとして、空気調和装置の室外ユニットを例に挙げて説明する。図１には、空気調和装置の冷媒回路が示されている。空気調和装置１０は、マルチ型の空気調和装置であって、１台の室外ユニット２０に対して５台の室内ユニット３０が並列に接続される構成となっている。ここでは、５台の室内ユニット３０が１台の室外ユニット２０に接続されている例が示されているが、後述する液管接続口やガス管接続口の数の設定を変えれば、接続できる室内ユニット３０の台数の上限値は変更することができる。また、この実施形態のように構成されている空気調和装置１０でも、常に１台の室外ユニット２０に５台の室内ユニット３０を接続しなければならない訳ではなく、５台以内であれば何台でも接続が可能である。接続される室内ユニット３０が４台以下の場合には、室内ユニット３０が接続されない液管接続口やガス管接続口は、閉鎖される。
【００２２】
空気調和装置１０の冷媒回路１１は、主として、圧縮機２１、四路切換弁２２、室外熱交換器２３、５つの電磁弁２４、室内熱交換器３１が順に接続されたものである。この冷媒回路１１では、蒸気圧縮式の冷凍サイクルが行なわれる。冷媒回路１１は、さらに詳細に見ると、接続ポート２５によって、室外ユニット２０の中に形成される室外側冷媒回路１２と室内ユニット３０の中に形成される室内側冷媒回路１３とが接続された構成になっている。室外側冷媒回路１２には、圧縮機２１、四路切換弁２２、室外熱交換器２３、５つの電磁弁２４が含まれ、室内側冷媒回路１３には室内熱交換器３１が含まれる。
【００２３】
室外ユニット２０の室外側冷媒回路１２と室内ユニット３０の室内側冷媒回路１３との間は、ガス側冷媒連絡配管１７ａおよび液側冷媒連絡配管１７ｂにより接続されている。５本のガス側冷媒連絡配管１７ａは、室外ユニット２０のガス管接続ポート２６に接続され、５本の液側冷媒連絡配管１７ｂは、室外ユニット２０の液管接続ポート２７に接続される。ガス管接続ポート２６は、５本のガス側冷媒連絡配管１７ａを１本にまとめて、ガス側閉鎖弁１８を介してその１本のガス管（後述するガスヘッダ６４から延びるガス管）を四路切換弁２２に接続する。この四路切換弁２２は室外熱交換器２３の一端側に接続されている。液管接続ポート２７は、５本の液側冷媒連絡配管１７ｂをそれぞれ５つの電磁弁２４の一端側に接続して、５つの電磁弁２４の他端側を１本の液管（後述する液ヘッダ６５から延びる液管）にまとめている。液管接続ポート２７は、液側閉鎖弁１９を介して５つの電磁弁２４の他端側に接続される１本の液管を室外熱交換器２３の他端側に接続している。
【００２４】
室外ユニット２０には、圧縮機２１や四路切換弁２２や電磁弁２４や室外ファン（図示せず）などを動作させるための室外側電気回路２８が設けられている。また、各室内ユニット３０には、室内ファン（図示せず）などを動作させるための室内側電気回路３２が設けられている。これら室内側電気回路３２は、配線群１５によって室外側電気回路２８と接続されている。
【００２５】
（１−２）空気調和装置の動作
次に、この空気調和装置１０の冷房運転時及び暖房運転時の動作について説明する。なお、以下の説明では、５台の室内ユニット３０が全て動作している場合について説明しているが、各室内ユニット３０は、空気調和装置１０の設定や環境状況によって動作したり、停止したりするものである。
【００２６】
（１−２−１）冷房運転
まず、冷房運転時は、四路切換弁２２が図１において実線で示す状態に切り換えられる。つまり、圧縮機２１の吐出側が室外熱交換器２３の一端側に接続され、圧縮機２１の吸入側がガス側閉鎖弁１８に接続される。このような冷房運転時の冷媒回路１１の回路構成により、圧縮機２１から吐出された高温高圧のガス冷媒は、四路切換弁２２を介して室外熱交換器２３に流入し、室外熱交換器２３で室外空気と熱交換されることによって凝縮して液化する。室外熱交換器２３で液化した液冷媒は、液側閉鎖弁１９を通過した後、５つに分流され、５つの分流が５つの電磁弁２４をそれぞれ通過する。液管接続ポート２７の５つの電磁弁２４を通過した液冷媒は、電磁弁２４を通過することで膨張し、それぞれ５本の液側冷媒連絡配管１７ｂを通って５台の室内ユニット３０にそれぞれ流入する。
【００２７】
各室内ユニット３０において、液冷媒は、室内熱交換器３１で室内空気と熱交換して蒸発する。そして、冷媒の蒸発によって冷却された室内空気は、図示しない室内ファンによって室内へと吹き出され、室内を冷房する。また、５台の室内熱交換器３１で蒸発して気化したガス冷媒は、５本のガス側冷媒連絡配管１７ａを通ってガス管接続ポート２６から室外ユニット２０の室外側冷媒回路１２に戻り、圧縮機２１に吸入される。
【００２８】
（１−２−２）暖房運転
一方、暖房運転時は、四路切換弁２２が図１において破線で示す状態に切り換えられる。つまり、圧縮機２１の吐出側がガス側閉鎖弁１８に接続され、圧縮機２１の吸入側が室外熱交換器２３の一端側に接続される。このような暖房運転時の冷媒回路１１の回路構成により、圧縮機２１から吐出された高温高圧のガス冷媒は、四路切換弁２２及びガス側閉鎖弁１８を介してガス管接続ポート２６から５本のガス側冷媒連絡配管１７ａに流出する。そして、ガス冷媒は、これら５本のガス側冷媒連絡配管１７ａを通って各室内ユニット３０の室内熱交換器３１に流入し、室内熱交換器３１で室内空気と熱交換されることによって凝縮して液化する。冷媒の凝縮によって加熱された室内空気は、室内ファンによって室内へと吹き出され、室内を暖房する。５台の室内熱交換器３１において液化した液冷媒は、それぞれ５本の液側冷媒連絡配管１７ｂを通って液管接続ポート２７から室外ユニット２０の室外側冷媒回路１２に戻る。室外ユニット２０に戻った液冷媒は、液管接続ポート２７において５つの電磁弁２４を通過して膨張する。５つの電磁弁２４を通過した液冷媒は、液管接続ポート２７で合流して液側閉鎖弁１９を通過して室外熱交換器２３に流入する。室外熱交換器２３に流入した液冷媒は、室外熱交換器２３で室外空気と熱交換して蒸発する。室外熱交換器２３で蒸発して気化したガス冷媒は、四路切換弁２２を介して圧縮機２１に吸入される。
【００２９】
（２）室外ユニットの詳細構成
（２−１）室外ユニットの外観
図２は、室外ユニット２０の正面側の右斜め上方から見た外観を示す斜視図である。なお、以下の説明では、室外ユニット２０を正面側から見て左右に向かう方向Ｘを「室外ユニット２０の幅方向」、上下に向かう方向Ｙを「室外ユニット２０の高さ方向」、方向Ｘおよび方向Ｙに直交する方向Ｚを「奥行き方向」とし、Ｘ１を左方、Ｘ２を右方、Ｙ１を上方、Ｙ２を下方、Ｚ１を前方、Ｚ２を後方と定義する。
【００３０】
室外ユニット２０は、本体ケーシング４０とポートケーシング５０とを備えている。本体ケーシング４０は、前板４１と天板４２と右側板４３と左側板（図示せず）と底板（図示せず）とを備えている。また、本体ケーシング４０の前板４１には、開口部４１ａの前に、室外ファンのプロペラ２９をカバーするためのグリル４４が取り付けられている。
【００３１】
本体ケーシング４０の右側板４３からさらに右に食み出すように、ポートケーシング５０が取り付けられている。ポートケーシング５０は、接続ポート２５を覆うための樹脂製の筐体である。図１に示されているように、ポートケーシング５０内には、ガス側閉鎖弁１８、液側閉鎖弁１９、ガス管接続ポート２６、液管接続ポート２７、電磁弁２４及び配線群１５の一部が収納されている。
【００３２】
室外ユニット２０の幅は、本体ケーシング４０の幅Ｗ１とポートケーシング５０の幅Ｗ２との和Ｗ１+Ｗ２になる。
【００３３】
（２−２）接続ポート
図３には、接続ポート２５を説明するためにガス管接続ポート２６及び液管接続ポート２７を背面から見た状態が示されている。また、図４には、接続ポート２５を説明するためにガス管接続ポート２６や液管接続ポート２７や電磁弁２４を斜め後ろ上方から見た状態が示されている。図３及び図４には、ポートケーシング５０や配線群１５などが取り外された接続ポート２５が示されている。さらに、図５には、ガス管接続ポート２６及び液管接続ポート２７を正面側右斜め横から見た状態が示され、図３及び図４には、ポートケーシング５０などが取り外された接続ポート２５が示されている。
【００３４】
接続ポート２５は、本体ケーシング４０に近い側に液管接続ポート２７が配置され、本体ケーシング４０から遠い側にガス管接続ポート２６が配置されている。言い換えると、ガス管接続ポート２６が液管接続ポート２７の右側（Ｘ２方向）に配置され、液管接続ポート２７が本体ケーシング４０の右側に配置されているということである。
【００３５】
接続ポート２５は、金属板を折り曲げて形成した取付部材５１を備えている。取付部材５１は、高さ方向（Ｙ方向）に長く延びた直方形板状のガス管接続口取付部５１ａ、ガス管接続口取付部５１ａと幅方向（Ｘ方向）に並んで高さ方向に延びた直方形板状の液管接続口取付部５１ｂ、及びガス管接続口取付部５１ａと液管接続口取付部５１ｂとを前後方向（Ｚ方向）にずらして階段状に互いに平行になるように接続する段差部５１ｃを有している。液管接続口６２ａ〜６２ｅがガス管接続口６１ａ〜６１ｅの後端よりも後ろに位置するので、液管接続口６２ａ〜６２ｅの接続作業に用いられる工具（スパナ、モンキーレンチなど）などがガス管接続口６１ａ〜６１ｅに引っ掛かって回し難くなるという不具合を生じない。取付部材５１は、液管接続口取付部５１ｂ及びガス管接続口取付部５１ａの短手方向を室外ユニット２０の幅方向（Ｘ方向）と一致させ、液管接続口取付部５１ｂ及びガス管接続口取付部５１ａの長手方向を室外ユニット２０の高さ方向（Ｙ方向）と一致させ、液管接続口取付部５１ｂ及びガス管接続口取付部５１ａの板厚方向を室外ユニット２０の奥行き方向（Ｚ方向）と一致させて、室外ユニット２０に取り付けられる。
【００３６】
また、ガス管接続口取付部５１ａと液管接続口取付部５１ｂは、液管接続口取付部５１ｂの上端がガス管接続口取付部５１ａの上端よりも低くなるように高さ方向（Ｙ方向）にずらして取り付けられている。ガス管接続口取付部５１ａには、高さ方向に等間隔に並べて配置されている５つのガス管接続口６１ａ，６１ｂ，６１ｃ，６１ｄ，６１ｅが取り付けられている。液管接続口取付部５１ｂには、高さ方向（Ｙ方向）に等間隔に並べて配置されている５つの液管接続口６２ａ，６２ｂ，６２ｃ，６２ｄ，６２ｅが取り付けられている。
【００３７】
図３に示されているように、５つのガス管接続口６１ａ〜６１ｅと５つの液管接続口６２ａ〜６２ｅは、千鳥状にずらして配置されている。例えば、高さ方向（Ｙ方向）において、２つのガス管接続口６１ａ，６１ｂの中間の高さに液管接続口６２ａが配置され、２つのガス管接続口６１ｂ，６１ｃの中間の高さに液管接続口６２ｂが配置され、２つのガス管接続口６１ｃ，６１ｄの中間の高さに液管接続口６２ｃが配置され、２つのガス管接続口６１ｄ，６１ｅの中間の高さに液管接続口６２ｄが配置されている。また、高さ方向（Ｙ方向）において、例えば、２つの液管接続口６２ｄ，６２の中間の高さにガス管接続口６１ｅが配置されている。そのため、５つのガス管接続口６１ａ〜６１ｅと５つの液管接続口６２ａ〜６２ｅをそれぞれ同じ高さに配置する場合に比べて、互いに隣接するガス管接続口６１ａ〜６１ｅと５つの液管接続口６２ａ〜６２ｅの間隔ＣＬ１が広くなる。そのため、ガス管接続口６１ａ〜６１ｅの並びと液管接続口６２ａ〜６２ｅの並びとの間隔を狭め易くなる。また、液管接続口６２ａ〜６２ｅの接続作業に用いられる工具がガス管接続口６１ａ〜６１ｅに引っ掛かって回し難くなるという不具合を解消し易くなる。
【００３８】
５つのガス管接続口６１ａ，６１ｂ，６１ｃ，６１ｄ，６１ｅには、図４に示されている５本のガス分岐管６３ａ，６３ｂ，６３ｃ，６３ｄ，６３ｅが前方（Ｚ１方向）に延びるように接続されている。これら５本のガス分岐管６３ａ〜６３ｅは、前方（Ｚ１方向）にあるガスヘッダ６４によって１本にまとめられてガス側閉鎖弁１８に接続されている。ガスヘッダ６４は、高さ方向（Ｙ方向）に長く延びている。ガス分岐管６３ａ，６３ｂ，６３ｃ，６３ｄ，６３ｅには温度センサ６８ａ，６８ｂ，６８ｃ，６８ｄ，６８ｅが取り付けられている。また、５つの液管接続口６２ａ，６２ｂ，６２ｃ，６２ｄ，６２ｅには、図５に示されている５本の液分岐管６５ａ，６５ｂ，６５ｃ，６５ｄ，６５ｅが前方（Ｚ１方向）に延びるように接続されている。これら５本の液分岐管６５ａ〜６５ｅは、右側（Ｘ２方向）にある液ヘッダ６５によって１本にまとめられて液側閉鎖弁１９に接続されている。液ヘッダ６５は、高さ方向（Ｙ方向）に長く延びている。
【００３９】
図６に示されているように、液管接続口取付部５１ｂの幅Ｗ４は、電磁弁２４の幅Ｗ３と同じかそれよりも小さい。そのため、正面から見て、電磁弁２４の一部がガス管接続口取付部５１ａと重なるように配置でき、液管接続口取付部５１ｂの幅Ｗ４とガス管接続口取付部５１ａの幅Ｗ５を足し合わせた幅を小さくできる。また、液管接続口取付部５１ｂの幅Ｗ４は、ガス管接続口取付部５１ａの幅Ｗ５よりも小さい。さらに、液管接続口取付部５１ｂの幅Ｗ４は、取付部材５１の右側板４３に取り付けられる側面から液分岐管６５ａ〜６５ｅの最も右側板４３から遠いところまでの幅Ｗ６よりも小さい。液分岐管６５ａ〜６５ｅに取り付けられる断熱部材６７が取り付けられることを考慮すると、液分岐管６５ａ〜６５ｅの配置には、幅Ｗ６よりも広いスペースが必要になる。つまり、液分岐管６５ａ〜６５ｅの一部や断熱部材６７の一部が、正面から見て、ガス管接続口取付部５１ａと重なる領域に配置されることになる。
【００４０】
液分岐管６５ａ，６５ｂ，６５ｃ，６５ｄ，６５ｅの前側（Ｚ１方向の先端側）には、電磁弁２４ａ，２４ｂ，２４ｃ，２４ｄ，２４ｅが取り付けられている。電磁弁２４は電磁コイル２４Ｌと弁体２４Ｖとからなっており、電磁コイル２４Ｌは着脱自在に弁体２４Ｖに取り付けられる。電磁コイル２４Ｌの幅Ｗ３（図６参照）が電磁弁２４の幅になる。図５に示されているように、前面から見たときに、電磁コイル２４Ｌは、円筒形から一部突出した部分２４Ｌａがある。そのため、電磁コイル２４Ｌは、突出した部分２４Ｌａがあることにより、単なる円筒形の形状の場合よりも、弁体２４Ｖに嵌め込み難い形を呈している。電磁コイル２４Ｌの弁体２４Ｖへの取り付け方によっては、突出した部分２４Ｌａによって電磁コイル２４Ｌの幅Ｗが円筒形の直径よりも長くなる場合がある。
【００４１】
図７に示されているように、配線群１５は、液管接続口取付部５１ｂの上端部の上の配線口５２を使って配線し、ポートケーシング５０の開口部５５から外部に取り出すことができるこのようにすると、配線群１５は最上部のガス管接続口６１ａと並べて配置できる。
【００４２】
（３）特徴
（３−１）
上述のように、本体ケーシング４０は、５台の室内ユニット３０の室内側冷媒回路１３に接続ポート２５を介して接続可能な液管及びガス管を有する室外側冷媒回路１２を収納している。室内側冷媒回路１３に接続可能なガス管とはガス側閉鎖弁１８の前後に接続されている配管であり、室内側冷媒回路１３に接続可能な液管とは液側閉鎖弁１９の前後に接続されている配管である。液管接続ポート２７は、５台の室内側冷媒回路１３に室外側冷媒回路１２の液管を接続するための５つの液管接続口６２ａ〜６２ｅを有している。これら５つの液管接続口６２ａ〜６２ｅは、本体ケーシング４０の右側板４３（側面の例）の外側において高さ方向（Ｙ方向）に並べて配置されている。また、ガス管接続ポート２６は、５つの室内側冷媒回路１３を室外側冷媒回路１２のガス管に接続するための５つのガス管接続口６１ａ〜６１ｅを有している。５つのガス管接続口６１ａ〜６１ｅは、本体ケーシング４０の右側板４３に対して液管接続ポート２７よりもさらに外側において高さ方向（Ｙ方向）に並べて配置されている。
【００４３】
室外ユニット２０は、５つの室内側冷媒回路１３にそれぞれ対応する５つの電磁弁２４ａ〜２４ｅ（電動弁の例）を備えている。液管接続ポート２７は、５つの電磁弁２４ａ〜２４ｅがそれぞれ取り付けられる５つの液分岐管６５ａ〜６５ｅを有している。５つの液分岐管６５ａ〜６５ｅは、５つの液管接続口６２ａ〜６２ｅにそれぞれ接続されている。
【００４４】
液管接続ポート２７をガス管接続ポート２６よりも右側板４３に近い側つまり内側に配置することで、電磁弁２４ａ〜２４ｅの配置スペースの一部をガス管接続ポート２６の配置領域に確保することができている。それにより、液管接続ポート２７とガス管接続ポート２６とを合わせた幅方向の長さを、ガス管接続ポート２６を内側に配置して液管接続ポート２７を外側に配置する場合に比べて短くすることができ、マルチ型の冷凍装置である空気調和装置１０の室外ユニット２０についてコンパクト化を図ることができる。なお、電磁弁２４ａ〜２４ｅの配置スペースの一部は、上記実施形態とは異なり、本体ケーシング４０に確保してもよい。
【００４５】
（３−２）
取付部材５１の液管接続口取付部５１ｂは、本体ケーシング４０の右側板４３（側面の例）に取り付けられている。液管接続口取付部５１ｂには、５つの液管接続口６２ａ〜６２ｅが取り付けられている。取付部材５１のガス管接続口取付部５１ａには、５つのガス管接続口６１ａ〜６１ｅが取り付けられている。従って、ガス管接続口取付部５１ａは、液管接続口取付部５１ｂよりも右側板４３から遠い側に配置されている。そして、取付部材５１の段差部５１ｃは、幅方向（Ｘ方向）に並ぶ液管接続口取付部５１ｂとガス管接続口取付部５１ａとを階段状に接続している。そして、液管接続口取付部５１ｂの幅が電磁弁２４の幅よりも小さくなるように形成されている。
【００４６】
液管接続口取付部５１ｂとガス管接続口取付部５１ａとが階段状に配置されているので、５つの液管接続口６２ａ〜６２ｅと５つのガス管接続口６１ａ〜６１ｅとを近づけて配置することができる。その結果、ガス管接続口６１ａ〜６１ｅの方から見た背面視において、ガス管接続口取付部５１ａと電磁弁２４とが重なる部分を増やして、液管接続ポート２７とガス管接続ポート２６とを合わせた幅方向の長さをさらに削減することができる。上記実施形態とは異なるが、ガス管接続口６１ａ〜６１ｅの方から見た背面視において、本体ケーシング４０と電磁弁２４とが重なる部分を増やしてもよい。
【００４７】
（３−３）
ガス管接続ポート２６の５本のガス分岐管６３ａ〜６３ｅは、５つのガス管接続口６１ａ〜６１ｅにそれぞれ接続されている。そして、ガスヘッダ６４は、５本のガス分岐管６３ａ〜６３ｅに接続されて高さ方向（Ｙ方向）に延びており、電磁弁２４の取り付け位置よりも取付部材５１に近い側に配置されている。
【００４８】
電磁弁２４ａ〜２４ｅの取り付け位置がガスヘッダ６４の配置位置よりも取付部材５１から遠い側にあると、液管接続ポート２７とガス管接続ポート２６とを合わせた幅方向の長さが短くても、ガスヘッダ６４が電磁弁２４ａ〜２４ｅの着脱の邪魔にならず、液分岐管６５ａ〜６５ｅに取り付けられている電磁弁２４ａ〜２４ｅのメンテナンスが容易になる。なお、上記実施形態とは異なってガスヘッダ６４の配置位置が電磁弁２４の取り付け位置とほぼ同じであっても同様の効果を奏する。
【００４９】
（３−４）
５つの液管接続口６２ａ〜６２ｅと５つのガス管接続口６１ａ〜６１ｅは、千鳥状にずらして配置されている。千鳥状にずらして配置されていることで、５つの液管接続口６２ａ〜６２ｅの並びと５つのガス管接続口６１ａ〜６１ｅの並びの間隔を狭め易くなる。それにより、ガス管接続口取付部５１ａと電磁弁２４ａ〜２４ｅとの重なり部分を増やして、液管接続ポート２７とガス管接続ポート２６とを合わせた幅方向の長さをさらに削減することができる。なお、上記実施形態と異なり、本体ケーシング４０と電磁弁２４ａ〜２４ｅとの重なり部分を増やしてもよい。
【００５０】
（３−５）
取付部材５１は、最上部の液管接続口６２ａの上に、最上部のガス管接続口６１ａと並んで配線群１５を取付部材５１から引き出すための配線口５２を有している。取付部材５１の取り付けに必要なスペースうち最上部の液管接続口６２ａの上の配管に使用されないスペースに、配線群１５を引き出すための配線口５２をつくることができ、取付部材５１の取り付けに必要なスペースのうちのデッドスペースを有効に活用して室外ユニット２０のコンパクト化を図ることができる。
【００５１】
（４）変形例
（４−１）変形例１Ａ
上記実施形態では、「複数のガス管接続口」や「複数の液管接続口」として、５つのガス管接続口６１ａ〜６１ｅや５つの液管接続口６２ａ〜６２ｅを例に挙げて説明したが、「複数」というのは、２以上の任意の数である。また、上記実施形態では、５つのガス管接続口６１ａ〜６１ｅや５つの液管接続口６２ａ〜６２ｅが等間隔で並んでいる場合について説明した。５つのガス管接続口６１ａ〜６１ｅや５つの液管接続口６２ａ〜６２ｅのようにそれぞれが一直線上に等間隔で並んでいる方が好ましいが、必ずしも等間隔に並んでいなくてもよく、また一直線状に並ばずに例えばジグザグに並んでいてもよい。
【００５２】
（４−２）変形例１Ｂ
上記実施形態では、ガス管接続口取付部５１ａや液管接続口取付部５１ｂが金属製平板で形成されているが、これらは湾曲していてもよく、また金属製に限られるものではない。
【符号の説明】
【００５３】
１０    空気調和機
１１    冷媒回路
１２    室外側冷媒回路
１３    室内側冷媒回路
２０    室外ユニット
２４，２４ａ〜２４ｅ    電磁弁
２５    接続ポート
２６    ガス管接続ポート
２７    液管接続ポート
３０    室内ユニット
４０    本体ケーシング
５１    取付部材
５１ａ    ガス管接続口取付部
５１ｂ    液管接続口取付部
５１ｃ    段差部
６１ａ〜６１ｅ    ガス管接続口
６２ａ〜６２ｅ    液管接続口
６３ａ〜６３ｅ    ガス分岐管
６４    ガスヘッダ
６５ａ〜６５ｅ    液分岐管
６６    液ヘッダ
【先行技術文献】
【特許文献】
【００５４】
【特許文献１】特開２０１１−１１７６４１号公報
【図１】
0005900459.tif 000002
【図２】
0005900459.tif 000003
【図３】
0005900459.tif 000004
【図４】
0005900459.tif 000005
【図５】
0005900459.tif 000006
【図６】
0005900459.tif 000007
【図７】
0005900459.tif 000008